【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行なうことが可能な遊技機に対応して設けられ、貨幣を受付けて遊技媒体を貸与するための処理を行ない、返却操作を受付けたことに基づいて、受付けられた前記貨幣のうち遊技媒体の貸与に用いられていない残額と、遊技媒体を計数可能な計数装置で計数された計数遊技媒体数とを特定可能な記録媒体を排出可能な遊技用装置であって、
前記計数遊技媒体数と前記残額とを記憶する記憶手段と、
前記計数装置での計数に基づいて前記記憶手段に記憶された前記計数遊技媒体数を更新する更新手段とを備え、
前記残額および前記計数遊技媒体数が前記記憶手段に記憶されているときに、所定操作を受付けたことに基づいて、前記計数遊技媒体数は前記記憶手段に記憶したまま、当該残額を特定可能な残額記録媒体を排出可能であり、
前記更新手段は、前記残額記録媒体が排出された後であっても、前記記憶手段に記憶された前記計数遊技媒体数を更新可能である、遊技用装置。
【手続補正２】
【補正対象書類名】明細書
【補正対象項目名】０００１
【補正方法】変更
【補正の内容】
【０００１】
本発明は、遊技用装置に関する。詳しくは、遊技媒体を用いて遊技を行なうことが可能な遊技機に対応して設けられ、貨幣を受付けて遊技媒体を貸与するための処理を行ない、返却操作を受付けたことに基づいて、受付けられた前記貨幣のうち遊技媒体の貸与に用いられていない残額と、遊技媒体を計数可能な計数装置で計数された計数遊技媒体数とを特定可能な記録媒体を排出可能な遊技用装置に関する。
【手続補正３】
【補正対象書類名】明細書
【補正対象項目名】０００７
【補正方法】変更
【補正の内容】
【０００７】
（１）  遊技媒体（たとえば、メダルＭ、パチンコ玉）を用いて遊技を行なうことが可能な遊技機（たとえば、スロットマシン１、パチンコ遊技機７０１）に対応して設けられ、貨幣（たとえば、紙幣）を受付けて遊技媒体を貸与するための処理を行ない、返却操作（たとえば、返却ボタン１１４，７５２の操作）を受付けたことに基づいて、受付けられた前記貨幣のうち遊技媒体の貸与に用いられていない残額（たとえば、プリペイド残額）と、遊技媒体を計数可能な計数装置（たとえば、計数装置１９０、各台計数機７０５）で計数された計数遊技媒体数（たとえば、持ちメダル数、持玉数）とを特定可能な記録媒体（たとえば、会員カード、ビジターカード）を排出可能な遊技用装置（たとえば、メダル貸出機１００、カードユニット７５０）であって、
前記計数遊技媒体数と前記残額とを記憶する記憶手段（たとえば、メダル貸出機１００の制御ユニット１８１のＲＡＭ１８１ｂに記憶される図２０（ａ）のカードテーブル。メダル貸出機１００の制御ユニット１８１のＲＡＭ１８１ｂ）と、
前記計数装置での計数に基づいて前記記憶手段に記憶された前記計数遊技媒体数を更新する更新手段（たとえば、図３０のステップＳｂ２５で実行される図３５の計数処理）とを備え、
前記残額および前記計数遊技媒体数が前記記憶手段に記憶されているときに、所定操作（たとえば、入金残額取出操作）を受付けたこと（たとえば、図４０のタッチパネル操作処理のステップＳｇ１でＹＥＳと判断され、図４１の残額取出処理のステップＳｈ７でＹＥＳと判断されること）に基づいて、前記計数遊技媒体数は前記記憶手段に記憶したまま、当該残額を特定可能な残額記録媒体（たとえば、入金残額対応カード、会員カード受付時は、会員カード、非受付時は、ビジターカード）を排出可能であり（たとえば、図４０のステップＳｇ１１で実行される図４１の残額取出処理のステップＳｈ１２，ステップＳｈ１３，ステップＳｈ１５，ステップＳｈ１７）、
前記更新手段は、前記残額記録媒体が排出された後であっても、前記記憶手段に記憶された前記計数遊技媒体数を更新可能である（たとえば、図４１の残額取出処理のステップＳｈ１５での入金残額対応カードの排出後、ステップＳｈ１８でビジターカードにそのときの持玉数が反映され、以後、持玉数が更新可能となる）。
【手続補正４】
【補正対象書類名】明細書
【補正対象項目名】０００８
【補正方法】変更
【補正の内容】
【０００８】
このような構成によれば、計数遊技媒体数と残額とが記憶され、計数装置での計数に基づいて、記憶された計数遊技媒体数が更新され、残額および計数遊技媒体数が記憶されているときに、所定操作が受付けられたことに基づいて、計数遊技媒体数は記憶したまま、当該残額を特定可能な残額記録媒体を排出可能であり、残額記録媒体が排出された後であっても、記憶された計数遊技媒体数が更新可能である。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
（２）  上記（１）の遊技用装置において、
前記残額および前記計数遊技媒体数がある状態において、前記所定操作を受付けたことに基づいて、前記残額特定情報に基づいた遊技媒体の貸与処理を不能動化する不能動化手段（たとえば、図４０のステップＳｇ１１で実行される図４１の残額取出処理のステップＳｈ１７。入金残額は削除せずに、ＲＡＭに記憶させたまま、入金残額に基づいた貸与処理だけできないように制御してもよい。）をさらに備える。
【手続補正９】
【補正対象書類名】明細書
【補正対象項目名】００１５
【補正方法】変更
【補正の内容】
【００１５】
（３）  上記（１）または（２）の遊技用装置において、
前記遊技機による遊技媒体の貸与が可能であることを示す貸与準備信号（たとえば、ＰＲＤＹ信号）を前記遊技機から受信する第１受信手段と、
貸与操作（たとえば、メダル貸出機１００のメダル貸出ボタン１１６の操作、パチンコ遊技機７０１の玉貸ボタン７５１の操作）を受付けたことを示す貸与要求信号（たとえば、ＢＲＤＹ信号のハイレベル）を前記遊技機に送信する第１送信手段と、
前記貸与要求信号の送信後、遊技媒体の貸与を指令する貸与指令信号（たとえば、ＢＲＱ信号のハイレベル）を前記遊技機に送信する第２送信手段と、
前記貸与要求信号および前記貸与指令信号に応じて前記遊技機から送信され遊技媒体の貸与ができることを示す貸与可能信号（たとえば、ＥＸＳ信号のハイレベル）を受信する第２受信手段と、
貸与可能信号の受信の確認を示す貸与確認信号（たとえば、ＢＲＱ信号のローレベル）を前記遊技機に送信する第３送信手段と、
前記貸与確認信号に応じて前記遊技機で遊技媒体の貸与が実行され、完了した場合に送信され遊技媒体の貸与の完了を示す貸与完了信号（たとえば、ＥＸＳ信号のローレベル）を受信する第３受信手段と、
貸与要求の終了を示す貸与要求終了信号（たとえば、ＢＲＤＹ信号のローレベル）を前記遊技機に送信する第４送信手段とをさらに備える。
【手続補正１０】
【補正対象書類名】明細書
【補正対象項目名】００１７
【補正方法】変更
【補正の内容】
【００１７】
（４）  上記（１）から（３）のいずれかの遊技用装置において、
前記残額を指定する操作（たとえば、排出する残額記録媒体で特定可能とする遊技媒体数を入力するための操作、具体的には、計数遊技媒体数または残額の分割を指示する操作＋分割する数量を指定するための複数回の操作）とは異なる前記所定操作（たとえば、入金残額取出操作、具体的には、図３９のメニュー画面の「残額取出」ボタンの操作＋返却ボタン１１４の操作。このように、所定操作は、数量を指定する必要がない点、および、操作手順が少ない点で、分割のための操作と異なる。なお、所定操作としては、前述のような「残額取出」ボタン＋返却ボタン１１４の２回の操作ではなく、１回のみの操作としてもよい。）を受付けたことに基づいて、前記残額記録媒体を排出する。
【手続補正１１】
【補正対象書類名】明細書
【補正対象項目名】００１８
【補正方法】変更
【補正の内容】
【００１８】
計数遊技媒体数または残額を分割する場合には、分割を指示する操作に加えて、分割する数量を指定する操作を行なう必要がある。このような構成によれば、残額を指定する操作とは異なる所定操作が受付けられたことに基づいて、残額記録媒体が排出される。このため、所定操作の１操作のみで、計数遊技媒体数を残したまま、残額を排出することができる。その結果、計数遊技媒体数を残したまま、残額を排出する場合に、数量を指定するような複雑な操作を必要とせず、簡単な操作で行なうことができる。
【手続補正１２】
【補正対象書類名】明細書
【補正対象項目名】００１９
【補正方法】変更
【補正の内容】
【００１９】
（５）  上記（１）から（４）のいずれかの遊技用装置において、
前記所定操作として、第１操作（たとえば、液晶表示器１２３，タッチパネル１２４の「残額取出」ボタンの操作）と当該第１操作の後の第２操作（たとえば、メダル貸出機１００またはパチンコ遊技機７０１の返却ボタン１１４，７５２の操作）とを受付けたことに基づいて、前記残額記録媒体を排出し、
前記第１操作が行なわれた後の貸与操作を無効とする貸与操作無効化手段をさらに備える。
【手続補正１３】
【補正対象書類名】明細書
【補正対象項目名】００２０
【補正方法】変更
【補正の内容】
【００２０】
このような構成によれば、所定操作として、第１操作と当該第１操作の後の第２操作とが受付けられたことに基づいて、残額記録媒体が排出され、第１操作が行なわれた後の貸与操作が無効とされる。このため、第２操作を行なう際に、誤って貸与操作が行なわれてしまっても、遊技媒体の貸与が行なわれないようにすることができる。その結果、残額を特定可能な記録媒体を排出するための操作の途中で、残額が用いられてしまうことを防止することができる。
【手続補正１４】
【補正対象書類名】明細書
【補正対象項目名】００２１
【補正方法】変更
【補正の内容】
【００２１】
（６）  上記（１）から（５）のいずれかの遊技用装置において、
前記残額記録媒体が排出された後、前記計数遊技媒体数が無くなった場合、前記残額記録媒体の存在の報知を制御するための残額報知制御処理（たとえば、当該遊技用装置で報知してもよいし、呼出ランプ２００のような外部の装置で報知してもよい）を実行する残額報知制御手段（たとえば、図３０のステップＳｂ２４で実行される図３４の再プレイ処理のステップＳｐ４）をさらに備える。
【手続補正１５】
【補正対象書類名】明細書
【補正対象項目名】００２２
【補正方法】変更
【補正の内容】
【００２２】
このような構成によれば、残額記録媒体が排出された後、計数遊技媒体数が無くなった場合、残額記録媒体の存在の報知を制御するための残額報知制御処理が実行される。このような場合、計数遊技媒体数の遊技媒体が遊技に用いられるのには時間を要するので、遊技者が、先に排出された残額記録媒体の存在を忘れてしまう可能性が高くなる。このため、そのような報知によって、残額記録媒体の存在を遊技者に再認識させることができる。
【手続補正１６】
【補正対象書類名】明細書
【補正対象項目名】００２３
【補正方法】変更
【補正の内容】
【００２３】
（７）  上記（１）から（６）のいずれかの遊技用装置において、
前記残額記録媒体が排出された状態、かつ、前記記憶手段に記憶された前記計数遊技媒体数がある状態において、前記返却操作を受付けたことに基づいて、当該計数遊技媒体数を特定可能な前記計数特定情報を特定可能な計数記録媒体（たとえば、持ちメダル対応カード、具体的には、ビジターカード）の排出を制御するための計数排出制御処理を実行する計数排出制御手段（たとえば、図３０のステップＳｂ２３で実行される図３３の返却処理のステップＳｍ１５〜ステップＳｍ１７）と、
前記計数排出制御手段によって前記計数排出制御処理が実行されるときに、前記残額記録媒体の存在の報知を制御するための計数報知制御処理（たとえば、当該遊技用装置で報知してもよいし、呼出ランプ２００のような外部の装置で報知してもよい）を実行する計数報知制御手段（たとえば、図３０のステップＳｂ２３で実行される図３３の返却処理のステップＳｍ１４）とをさらに備える。
【手続補正１７】
【補正対象書類名】明細書
【補正対象項目名】００２４
【補正方法】変更
【補正の内容】
【００２４】
このような構成によれば、残額記録媒体が排出された状態、かつ、記憶された計数遊技媒体数がある状態において、返却操作が受付けられたことに基づいて、当該計数遊技媒体数を特定可能な計数特定情報を特定可能な計数記録媒体の排出を制御するための計数排出制御処理が実行され、計数排出制御処理が実行されるときに、残額記録媒体の存在の報知を制御するための計数報知制御処理が実行される。
【手続補正１８】
【補正対象書類名】明細書
【補正対象項目名】００２６
【補正方法】変更
【補正の内容】
【００２６】
（８）  上記（６）または（７）の遊技用装置において、
前記残額報知制御手段または前記計数報知制御手段は、外部表示装置（たとえば、呼出ランプ２００）での報知を制御する（たとえば、図３０のステップＳｂ２４で実行される図３４の再プレイ処理のステップＳｐ４、図３０のステップＳｂ２３で実行される図３３の返却処理のステップＳｍ１４）。
【手続補正１９】
【補正対象書類名】明細書
【補正対象項目名】００２８
【補正方法】変更
【補正の内容】
【００２８】
（９）  上記（１）から（８）のいずれかの遊技用装置において、
前記残額記録媒体が排出されてから前記計数排出制御手段によって前記計数排出制御処理が実行されるまでの状態（たとえば、残額排出フラグがオンの状態）において、受付けられた貨幣の返却を制御するための貨幣返却制御処理（たとえば、当該遊技用装置から排出してもよいし、遊技用装置に外付けされる紙幣識別装置のような外部の装置から排出してもよい）を実行する貨幣返却制御手段（たとえば、図３０のステップＳｂ２２で実行される図３２の発行・入金処理のステップＳｋ４）をさらに備える。
【手続補正２０】
【補正対象書類名】明細書
【補正対象項目名】００２９
【補正方法】変更
【補正の内容】
【００２９】
このような構成によれば、残額記録媒体が排出されてから計数排出制御処理が実行されるまでの状態において、受付けられた貨幣の返却を制御するための貨幣返却制御処理が実行される。このため、残額を特定可能な記録媒体を遊技者が有しているような状態において、受付けられた貨幣を返却することができる。その結果、無用の入金を防止することができる。
【手続補正２１】
【補正対象書類名】明細書
【補正対象項目名】００３０
【補正方法】変更
【補正の内容】
【００３０】
（１０）  上記（１）から（８）のいずれかの遊技用装置において、
前記残額記録媒体が排出されてから前記計数排出制御手段によって前記計数排出制御処理が実行されるまでの状態（たとえば、残額排出フラグがオンの状態）において、受付けられた貨幣を、一旦、返却するための制御（たとえば、当該遊技用装置で排出してもよいし、遊技用装置に外付けされる紙幣識別装置のような外部の装置で排出してもよい）、前記残額記録媒体の存在を報知するための制御（たとえば、当該遊技用装置で報知してもよいし、呼出ランプ２００のような外部の装置で報知してもよい）、および、再度、貨幣の入金があった場合、貨幣を受付けるための制御（たとえば、当該遊技用装置で受付けてもよいし、遊技用装置に外付けされる紙幣識別装置のような外部の装置で受付けてもよい）を実行する再入金貨幣受付制御手段（たとえば、実施の形態においては、入金残額対応カードが排出されてから持ちメダル対応カードが実行されるまでの状態において、図３０のステップＳｂ４で貨幣の入金があった場合、図３２のステップＳｋ２で入金残額対応カードの存在を報知するための制御、図３２のステップＳｋ２，ステップＳｋ３で遊技者の貨幣の入金の意思を確認するための制御、意思があると確認された場合、図３２のステップＳｋ５で貨幣を受付けるための制御、および、意思がないと確認された場合、図３２のステップＳｋ４で入金された貨幣を返却するための制御が実行されるようにした。しかし、これに限定されず、この構成のように、入金残額対応カードが排出されてから持ちメダル対応カードが実行されるまでの状態において、受付けられた貨幣を、一旦、図３２のステップＳｋ４のように返却するための制御、図３２のステップＳｋ２のように入金残額対応カードの存在を報知するための制御、および、再度、貨幣の入金があった場合、図３２のステップＳｋ５のように貨幣を受付けるための制御が実行されるようにしてもよい。）をさらに備える。
【手続補正２２】
【補正対象書類名】明細書
【補正対象項目名】００３１
【補正方法】変更
【補正の内容】
【００３１】
このような構成によれば、残額記録媒体が排出されてから計数排出制御処理が実行されるまでの状態において、受付けられた貨幣を、一旦、返却するための制御、残額記録媒体の存在を報知するための制御、および、再度、貨幣の入金があった場合、貨幣を受付けるための制御が実行される。このため、残額を特定可能な記録媒体を遊技者が有しているような状態において、残額を特定可能な記録媒体の存在を遊技者に報知しつつ、貨幣の入金を受付け難くすることができる。その結果、無用の入金を防止することができる。
【手続補正２３】
【補正対象書類名】明細書
【補正対象項目名】００３２
【補正方法】変更
【補正の内容】
【００３２】
（１１）  上記（１）から（８）のいずれかの遊技用装置において、
前記残額記録媒体が排出されてから前記計数排出制御手段によって前記計数排出制御処理が実行されるまでの状態（たとえば、残額排出フラグがオンの状態）において、貨幣の入金があった場合、前記残額記録媒体の存在を報知するための制御（たとえば、図３２のステップＳｋ２。当該遊技用装置で報知してもよいし、呼出ランプ２００のような外部の装置で報知してもよい）、遊技者の貨幣の入金の意思を確認するための制御（たとえば、図３２のステップＳｋ２，ステップＳｋ３）、意思があると確認された場合、貨幣を受付けるための制御（たとえば、図３２のステップＳｋ５。当該遊技用装置で受付けてもよいし、遊技用装置に外付けされる紙幣識別装置のような外部の装置で受付けてもよい）、および、意思がないと確認された場合、入金された貨幣を返却するための制御（たとえば、図３２のステップＳｋ４。当該遊技用装置で排出してもよいし、遊技用装置に外付けされる紙幣識別装置のような外部の装置で排出してもよい）を実行する貨幣受付制御手段（たとえば、図３０のステップＳｂ２２で実行される図３２の発行・入金処理のステップＳｋ２〜ステップＳｋ５）をさらに備える。
【手続補正２４】
【補正対象書類名】明細書
【補正対象項目名】００３３
【補正方法】変更
【補正の内容】
【００３３】
このような構成によれば、残額記録媒体が排出されてから計数排出制御処理が実行されるまでの状態において、貨幣の入金があった場合、残額記録媒体の存在を報知するための制御、遊技者の貨幣の入金の意思を確認するための制御、意思があると確認された場合、貨幣を受付けるための制御、および、意思がないと確認された場合、入金された貨幣を返却するための制御が実行される。このため、残額を特定可能な記録媒体を遊技者が有しているような状態において、残額を特定可能な記録媒体の存在を遊技者に報知しつつ、貨幣の入金を受付け難くすることができる。その結果、無用の入金を防止することができる。
【手続補正２５】
【補正対象書類名】明細書
【補正対象項目名】００３４
【補正方法】変更
【補正の内容】
【００３４】
（１２）  上記（１）から（１１）のいずれかに記載の遊技用装置と、前記計数特定情報で特定される前記計数遊技媒体数で示される数の遊技媒体を物品に交換するための処理を実行する物品交換処理装置（たとえば、景品交換ＰＯＳ５７０）とを含む遊技用システム（たとえば、遊技用システム）であって、
前記物品交換処理装置は、
前記計数記録媒体を受付けた場合、前記残額記録媒体の存在の報知を制御するための残額存在報知制御処理を実行する残額存在報知制御手段（たとえば、入金残額対応カードが存在する旨の景品交換ＰＯＳ５７０の表示部への表示、および、音声の出力）を備える。
【手続補正２６】
【補正対象書類名】明細書
【補正対象項目名】００３６
【補正方法】変更
【補正の内容】
【００３６】
（１３）  上記（１）から（１１）のいずれかに記載の遊技用装置と、前記残額特定情報で特定される残額を精算するための処理を実行する精算装置（たとえば、精算装置５８０）とを含む遊技用システム（たとえば、遊技用システム）であって、
前記精算装置は、
前記残額記録媒体を受付けた場合、前記計数記録媒体の存在の報知を制御するための計数存在報知制御処理（たとえば、計数記録場体があることを管理コンピュータ５００，５５０で確認してから報知してもよいし、計数記録媒体の有無に関わらず報知してもよい）を実行する計数存在報知制御手段（たとえば、持ちメダル対応カードが存在する旨の精算装置５８０の表示部への表示、および、音声の出力）を備える。
【手続補正２７】
【補正対象書類名】明細書
【補正対象項目名】００３８
【補正方法】変更
【補正の内容】
【００３８】
（１４）  上記（１）から（１１）のいずれかの遊技用装置、または、上記（１２）もしくは（１３）の遊技用システムにおいて、
前記遊技媒体（たとえば、メダルＭ）を貯留可能な貯留部（たとえば、メダル貯留部１８３）と、
前記貯留部に貯留されている遊技媒体を払い出す払出装置（たとえば、払出装置１８２）と、
遊技媒体を計数可能な計数装置（たとえば、計数装置１９０）と、
前記計数装置にて計数する遊技媒体を受け入れ可能な開口（たとえば、図９（ａ）の受入部１４０の開口１４０’）と、
前記開口に投入された遊技媒体を前記計数装置へ導くための導入経路（たとえば、導入経路カバー１４１）と、
前記開口からの遊技媒体の受け入れを可能とする開放状態（たとえば、図９（ａ）に示す開放位置）と遊技媒体の受け入れを不可または困難とする閉鎖状態（たとえば、図９（ｂ）に示す閉鎖位置）とに変化可能に設けられた蓋体（たとえば、図９の蓋部材１６０）と、
前記蓋体を前記閉鎖状態に維持する維持手段（たとえば、図１２のネジ１０７とネジ挿通孔１０８ａ，１０８ｂと雌ネジ孔１６２／図１７のネジ１０７’とネジ挿通孔１０８ｃと雌ネジ孔１６２’／図１８のバネ１７７等により付勢された係合凸部１７２と係合孔部１７３）とをさらに備える。
【手続補正２８】
【補正対象書類名】明細書
【補正対象項目名】００４０
【補正方法】変更
【補正の内容】
【００４０】
（１５）  上記（１４）の遊技用装置または遊技用システムにおいて、
前記蓋体は、
前記導入経路の内側を形成する壁面のうち対向する２つの側壁面（たとえば、図９の側板１４１ｂの内面側）に対して交差する軸（たとえば、図９の枢軸１６１）を中心に回動可能に設けられた主蓋部（たとえば、図９の蓋板１６０ａ）と、
前記主蓋部の両端に設けられ前記２つの側壁面にそれぞれ対向する蓋部側壁部（たとえば、図９の蓋部材側板１６０ｂ）とを備えてなり、
前記蓋部側壁部は、前記開口（たとえば、図９の受入部１４０の開口１４０’）が前記主蓋部により閉鎖状態とされたときに、前記２つの側壁面に重畳するように設けられている（たとえば、図９（ｂ）および図１１（ｂ）において、蓋部材１６０を閉鎖状態にしたときに、蓋部材１６０の右側の蓋部材側板１６０ｂは、導入経路カバー１４１の右側の側板１４１ｂに重畳され、図１２（ｂ）おいて、蓋部材１６０の左側の蓋部材側板１６０ｂは、導入経路カバー１４１の左側の側板１４１ｂに重畳される）。
【手続補正２９】
【補正対象書類名】明細書
【補正対象項目名】００４２
【補正方法】変更
【補正の内容】
【００４２】
（１６）  上記（１４）または（１５）の遊技用装置または遊技用システムにおいて、
前記維持手段（たとえば、図１２のネジ１０７とネジ挿通孔１０８ａ，１０８ｂと雌ネジ孔１６２／図１７のネジ１０７’とネジ挿通孔１０８ｃと雌ネジ孔１６２’）は、
前記蓋体を導入経路内に固定可能な固定手段（たとえば、図１２のネジ１０７）と、
前記固定手段を固定状態または解除状態にする操作部（たとえば、ネジ１０７のネジ頭）とを有してなり、
前記操作部は、導入経路の外壁面のうち遊技者側以外の面である側面（たとえば、左右側面）または裏面（たとえば、背面）に配置されている（たとえば、図１２において、ネジ１０７が挿通するネジ挿通孔１０８ａ，１０８ｂが、受入部１４０における左側の側板１４１ｂに設けられ、このネジ挿通孔１０８ａ，１０８ｂを挿通したネジ１０７が螺合される雌ネジ孔１６２を蓋部材側板１６０ｂの側面に設ける／図１７において、ネジ１０７’が挿通するネジ挿通孔１０８ｃが、受入部１４０における背面側の開閉板１０２に設けられ、このネジ挿通孔１０８ｃを挿通したネジ１０７’が螺合される雌ネジ孔１６２’を蓋部材側板１６０ｂの先端に設ける）。
【手続補正３０】
【補正対象書類名】明細書
【補正対象項目名】００４４
【補正方法】変更
【補正の内容】
【００４４】
（１７）  上記（１４）から（１６）のいずれかの遊技用装置または遊技用システムにおいて、
前記導入経路の内面には、前記開口の周囲部（たとえば、図９（ａ）において、導入経路カバー１４１における受入部１４０の開口１４０’近傍の外周面及び開閉板１０２における受入部１４０の近傍部位）の色彩よりも明度が高い高明度部（たとえば、図９（ａ）の高明度部１０９，１０９’）が設けられる。
【手続補正３１】
【補正対象書類名】明細書
【補正対象項目名】００４６
【補正方法】変更
【補正の内容】
【００４６】
（１８）  上記（１４）から（１７）のいずれかの遊技用装置または遊技用システムにおいて、
前記開口は、上方からの遊技媒体を受け入れ可能に上方に向けて形成され、
前記蓋体は、
前記導入経路の内側を形成する壁面のうち対向する２つの側壁面（たとえば、図９の側板１４１ｂの内面）に対して交差する軸（たとえば、図９の枢軸１６１）を中心に回動可能に設けられた主蓋部（たとえば、図９の蓋板１６０ａ）と、
前記主蓋部の両端に設けられ前記２つの側壁面にそれぞれ対向する蓋部側壁部（たとえば、図９の蓋部材側板１６０ｂ）とを備え、
前記蓋体は、開放状態において主蓋部が所定の開放角度に維持されて遊技媒体を開口側へ導くとともに、蓋部側壁部が、蓋体の開放状態において主蓋部よりも上方
に突出して形成されてなり、
前記２つの側壁面のうち、対応する遊技機側に設けられる一方の側壁面の上端は、他方の側壁面の上端よりも高く形成され（たとえば、図７および図９（ａ）において、左右の側板１４１ｂの上端縁の高さ位置は、それぞれ異なっており、左右の側板１４１ｂには、上下寸法Ｖの高低差が設けられている）、
前記２つの蓋部側壁部のうち、対応する遊技機側に設けられる一方の蓋部側壁部の上端は、他方の蓋部側壁部の上端よりも高く形成されている（たとえば、図７および図９（ａ）において、左右の蓋部材側板１６０ｂの上端縁の高さ位置は、それぞれ異なっており、左側の蓋部材側板１６０ｂは、右側に設けられる蓋部材側板１６０ｂよりも高く形成されている）。
【手続補正３２】
【補正対象書類名】明細書
【補正対象項目名】００４８
【補正方法】変更
【補正の内容】
【００４８】
（１９）  上記（１４）から（１８）のいずれかの遊技用装置または遊技用システムにおいて、
前記導入経路の底部は、複数の小径な貫通孔（たとえば、図１３のパンチング穴１４８，１４８’）が形成された第１底面部（たとえば、図１３の傾斜板１４１ｃ’）および前記第１底面部の下方に重畳するように配置される第２底面部（たとえば、図１３の傾斜板１４１ｃ）とを有してなり、
前記第１底面部と前記第２底面部とは、前記第１底面部の貫通孔と前記第２底面部の貫通孔との位置をずらして配設される（たとえば、図１３において、導入経路カバー１４１の底部には、下方側の傾斜板１４１ｃと、この傾斜板１４１ｃから所定寸法離間して重畳配置された上方側の傾斜板１４１ｃ’と、が設けられている）。
【手続補正３３】
【補正対象書類名】明細書
【補正対象項目名】００５０
【補正方法】変更
【補正の内容】
【００５０】
（２０）  上記（１４）から（１９）のいずれかの遊技用装置または遊技用システムにおいて、
前記開口の入り側には、前記計数装置（たとえば、図５の計数装置１９０）が遊技媒体を計数したときに発光する発光部（たとえば、図５の発光部１６５）が設けられている、請求項９から請求項１４のいずれかに記載の遊技用装置。
【手続補正３４】
【補正対象書類名】明細書
【補正対象項目名】００５２
【補正方法】変更
【補正の内容】
【００５２】
（２１）  上記（２０）の遊技用装置または遊技用システムにおいて、
前記発光部（たとえば、図９（ｂ）の発光部１６５）は、前記蓋体が前記閉鎖状態のときに当該蓋体により隠蔽される（たとえば、図９（ｂ）において、蓋部材１６０を閉鎖状態にすると、発光部１６５が蓋部材１６０により隠蔽される）。
【手続補正３５】
【補正対象書類名】明細書
【補正対象項目名】００５４
【補正方法】変更
【補正の内容】
【００５４】
（２２）  上記（１）から（１１）のいずれかの遊技用装置、上記（１２）もしくは（１３）の遊技用システム、または、上記（１４）から（２１）の遊技用装置もしくは遊技用システムにおいて、
前記遊技媒体が適正であるか否かを判定する適正判定手段（たとえば、計数装置１９０のコントローラ１９０ａ）と、
前記適正判定手段により適正ではないと判定された遊技媒体を貯留する貯留部（たとえば、メダル貯留ボックス１９４）と、
前記貯留部に貯留された遊技媒体の貯留量が該遊技媒体の回収を促す第１貯留量に達したか否かを判定する第１判定手段（たとえば、図３７のメダル貯留処理のＳｅ７において、制御ユニット１８１は、メダル情報（図２０（ｃ）参照）の総メダル貯留数が第１閾値（満タン）であるか否かを判定する部分）と、
前記第１判定手段が前記第１貯留量に達したと判定したときに前記第１貯留量に達した旨を報知する第１報知手段（たとえば、図３７のメダル貯留処理のＳｅ９において、制御ユニット１８１は、状態報知ランプ１１１を点灯する部分）と、
前記貯留部に貯留された遊技媒体の貯留量が前記第１貯留量よりも少ない所定の第２貯留量に達しているか否かを判定する第２判定手段（たとえば、図３８の締め関連処理のＳｆ２において、制御ユニット１８１は、メダル情報（図２０（ｃ）参照）の総メダル貯留数が所定枚数（第２閾値）以上であるか否かを判定する部分）と、
当該遊技場の営業終了に際して、当該遊技用装置を管理する管理装置から出力された所定の信号を受信したときに、前記第２判定手段により前記第２貯留量に達していると判定されていることを条件に、前記第２貯留量に達している旨を報知する第２報知手段（たとえば、図３８の締め関連処理のＳｆ３において、制御ユニット１８１は、状態報知ランプ１１１を点灯するとともに、メダル管理コンピュータ５５０に対してメダル貯留ボックス１９４の不正メダルの貯留数が所定枚数（第２閾値）以上となっている旨を知らせる通知を送信する部分）とをさらに備える。
【手続補正３６】
【補正対象書類名】明細書
【補正対象項目名】００５６
【補正方法】変更
【補正の内容】
【００５６】
（２３）  上記（２２）の遊技用装置を含む遊技用システムもしくは上記（２２）の遊技用システムにおいて、
前記遊技用システムは、
前記各遊技用装置とデータ通信可能に接続され、該各遊技用装置に対して当該遊技場の営業終了に際して所定の信号を送信する管理装置（たとえば、メダル管理コンピュータ５５０）を含む。
【手続補正３７】
【補正対象書類名】明細書
【補正対象項目名】００５８
【補正方法】変更
【補正の内容】
【００５８】
（２４）  上記（２２）または（２３）の遊技用装置または遊技用システムにおいて、
前記貯留部に貯留される遊技媒体数を計数する貯留媒体計数手段（たとえば、図３７のメダル貯留処理のＳｅ４において、制御ユニット１８１は、メダル情報（図２０（ｃ）参照）の総メダル貯留数に１を加算する部分）と、
前記適正判定手段が適正と判定する遊技媒体として、大きさが異なる複数種類の遊技媒体のうちからいずれかを設定可能な遊技媒体種別設定手段（たとえば、大きさが異なるメダル（たとえば、φ２５のメダルとφ３０のメダル）についても比較して識別できる計数装置１９０のコントローラ１９０ａ）とをさらに備え、
前記第１判定手段は、前記貯留媒体計数手段が計数した遊技媒体数が第１閾値に達したときに前記第１貯留量に達したと判定し（たとえば、図３７のメダル貯留処理のＳｅ７において、制御ユニット１８１は、メダル情報（図２０（ｃ）参照）の総メダル貯留数が第１閾値（満タン）であるか否かを判定する部分）、
前記第２判定手段は、前記貯留媒体計数手段が計数した遊技媒体数が第２閾値に達したときに前記第２貯留量に達したと判定し（たとえば、図３８の締め関連処理のＳｆ２において、制御ユニット１８１は、メダル情報（図２０（ｃ）参照）の総メダル貯留数が所定枚数（第２閾値）以上であるか否かを判定する部分）、
前記第１閾値および／または前記第２閾値を設定可能な閾値設定手段（たとえば、メダル管理コンピュータ５５０にて実施可能な不正メダル関係の設定が行なえる図２７に示す不正メダル関係設定画面）をさらに備え、
前記閾値設定手段は、前記遊技媒体種別設定手段にて設定された遊技媒体の種別に応じた閾値を設定可能である（たとえば、図２７に示す「島単位設定」を用いれば、１枚５円の価値を有するメダルにて遊技を実施可能な遊技領域や、１枚２０円の価値を有するメダルにて遊技を実施可能な遊技領域などの遊技島毎に指定できる部分）。
【手続補正３８】
【補正対象書類名】明細書
【補正対象項目名】００６０
【補正方法】変更
【補正の内容】
【００６０】
（２５）  上記（２２）から（２４）のいずれかの遊技用装置または遊技用システムにおいて、
前記適正判定手段は、適正ではないと判定した遊技媒体であって、当該遊技場で使用可能な第１不適正遊技媒体（たとえば、自店メダル）と当該遊技場で使用不能な第２不適正遊技媒体（たとえば、偽メダル）とを含む複数種類の不適正遊技媒体（たとえば、不正メダル）を識別可能であり、
前記適正判定手段による識別に必要な不適正遊技媒体の種別を登録する登録手段（たとえば、予め自店メダルを計数装置１９０に１００枚程度投入して、自店メダルの画像をメモリ１９０ｂに登録させる部分）と、
前記貯留部に貯留される遊技媒体数を計数する貯留媒体計数手段（たとえば、図３７のメダル貯留処理のＳｅ４において、制御ユニット１８１は、メダル情報（図２０（ｃ）参照）の総メダル貯留数に１を加算する部分）とをさらに備え、
前記貯留媒体計数手段は、前記適正判定手段により適正ではないと判定したときに、前記登録手段により登録された前記第１不適正遊技媒体と前記第２不適正遊技媒体とを別個に計数する（たとえば、図３７のメダル貯留処理のＳｅ５において、制御ユニット１８１は、自店メダルか否かを判定し、自店メダルである場合にはＳｅ６に進んで、メダル情報（図２０（ｃ）参照）の自店メダル貯留数に１を加算し、自店メダルでない場合にはＳｅ１１に進んで、メダル情報（図２０（ｃ）参照）の偽メダル貯留数に１を加算する部分）。
【手続補正３９】
【補正対象書類名】明細書
【補正対象項目名】００６２
【補正方法】変更
【補正の内容】
【００６２】
（２６）  上記（２２）から（２５）のいずれかの遊技用装置または遊技用システムにおいて、
前記適正判定手段による判定の対象となる遊技媒体を撮像する遊技媒体撮像手段（たとえば、メダル撮影カメラ１９０ｃ）と、
対応する遊技機にて遊技を行なっている遊技者を撮像する遊技者撮像手段（たとえば、顔画像撮影カメラ１８８）と、
前記適正判定手段が適正ではないと判定したときに、該判定の対象となった遊技媒体を撮像した遊技媒体データと遊技者を撮像した遊技者データとを対応付けて記憶する撮像データ記憶手段（たとえば、図３６の不正メダル処理のＳｄ３において、制御ユニット１８１は、遊技者の顔画像とメダル画像を並列に組み合わせて１枚の通知用画像（図２９参照）を生成し、この通知用画像をＲＡＭ１８１ｂに記憶する部分）とをさらに備える。
【手続補正４０】
【補正対象書類名】明細書
【補正対象項目名】００６４
【補正方法】変更
【補正の内容】
【００６４】
（２７）  上記（２２）から（２６）のいずれかの遊技用装置または遊技用システムにおいて、
前記適正判定手段は、所定の受入部から受け入れた遊技媒体を計数するための前記計数装置にて計数された遊技媒体が適正であるか否かを判定するものであり（たとえば、図３５の計数処理のＳｃ６において、制御ユニット１８１は、計数装置１９０から取得したメダル判定情報に基づいて、計数されたメダルが不正メダルであるか否かを判定する部分）、
前記計数装置は、
前記適正判定手段による判定結果に基づいて所定の不適正条件（たとえば、不正メダル検出報知条件）が成立したことを条件に、該不適正条件が成立するまでに計数した遊技媒体数のうち前記適正判定手段により適正ではないと判定された遊技媒体数を無効とする無効化手段（たとえば、図３６の不正メダル処理のＳｄ８において、制御ユニット１８１は、カードテーブル（図２０（ａ）参照）の持ちメダル数から累積不正メダル数の値を減算する部分）をさらに備える。
【手続補正４１】
【補正対象書類名】明細書
【補正対象項目名】００６６
【補正方法】変更
【補正の内容】
【００６６】
（２８）  上記（２７）の遊技用装置または遊技用システムにおいて、
前記適正判定手段による判定結果に基づいて所定の不適正条件（たとえば、不正メダル検出報知条件）が成立するまで、前記適正判定手段による判定結果に関わらず前記計数装置が計数した前記計数遊技媒体数を加算記憶する記憶手段（たとえば、図３６の不正メダル処理のＳｄ６において、制御ユニット１８１は、カード受付け中遊技情報（図２０（ｂ）参照）の累積不正メダル数に１を加算する部分）と、
前記計数遊技媒体数を特定可能な記録媒体である計数記録媒体を受付けて、前記計数記録媒体により前記計数遊技媒体数を特定可能であるときに、特定された前記計数遊技媒体数を前記記憶手段に記憶させる記憶処理手段（たとえば、図３０のＳｂ２０のカード受付け処理において、メダル貸出機１００の制御ユニット１８１（記憶処理手段）は、受信した受付け処理完了通知に含まれる持ちメダル数、貯蓄メダル数（会員のみ）、来店ポイント（会員のみ）、暗証番号（会員のみ）を、カードテーブルに格納する部分）と、
遊技が終了されるときに、前記計数遊技媒体数を特定可能とされた前記計数記録媒体を排出する排出処理を行なう排出処理手段とをさらに備え、
前記排出処理手段は、前記記憶手段に記憶されている前記計数遊技媒体数のうち前記貯留部に貯留された遊技媒体数を特定可能な情報を記録した計数記録媒体を排出する（たとえば、図３０のＳｂ２３の返却処理において、メダル貸出機１００の制御ユニット１８１は、受付け中のカードがビジターカードであるか否かを判定し、ビジターカードである場合には、該ビジターカードに、カードテーブルのカード受付け中遊技情報の累積不正メダル数を記録する部分）。
【手続補正４２】
【補正対象書類名】明細書
【補正対象項目名】００６８
【補正方法】変更
【補正の内容】
【００６８】
（２９）  上記（１）から（１１）のいずれかの遊技用装置、上記（１２）もしくは（１３）の遊技用システム、または、上記（１４）から（２８）の遊技用装置もしくは遊技用システムにおいて、
前記遊技用装置は、前記遊技機および管理装置と通信可能に接続され、
前記遊技用装置は、さらに、
前記遊技機により生成された情報を前記管理装置に送信する送信手段を備え、
前記送信手段は、前記遊技機により生成された情報を前記管理装置向けに変換して送信するまたは変換する装置に中継するための情報変換手段（たとえば、外部出力端子）を含む。
【手続補正４３】
【補正対象書類名】明細書
【補正対象項目名】００７０
【補正方法】変更
【補正の内容】
【００７０】
（３０）  上記（１）から（１１）のいずれかの遊技用装置、上記（１２）もしくは（１３）の遊技用システム、または、上記（１４）から（２９）の遊技用装置もしくは遊技用システムにおいて、
前記遊技機は、入賞の発生により所定の遊技点を付与するとともに前記遊技点を用いた遊技が可能であり、
前記遊技用装置は、さらに、
貸与操作を受付けたことに基づいて、受付けられた前記貨幣のうちの少なくとも一部を用いて加算する遊技点を特定可能な情報を前記遊技機に送信する遊技点送信手段（たとえば、カードユニット７５０によって、玉貸しボタン７５１の操作が受付けられたことに基づいて、受付けられた貨幣のうちの少なくとも一部を用いて加算する遊技点を特定可能な情報がパチンコ遊技機７０１に送信される。）と、
計数操作を受付けたことに基づいて、前記遊技機が記憶している遊技点を特定可能な情報を前記遊技機から受信する遊技点受信手段（たとえば、カードユニット７５０によって、各台計数機７０５での計数操作を受付けたことに基づいて、パチンコ遊技機７０１が記憶している遊技点を特定可能な情報がパチンコ遊技機７０１から受信される。）とを備える。
【手続補正４４】
【補正対象書類名】明細書
【補正対象項目名】００７２
【補正方法】変更
【補正の内容】
【００７２】
（３１）  上記（１）から（１１）のいずれかの遊技用装置、上記（１２）もしくは（１３）の遊技用システム、または、上記（１４）から（３０）の遊技用装置もしくは遊技用システムにおいて、
前記遊技用装置は、前記遊技機および管理装置（たとえば、鍵管理サーバ６００）と通信可能に接続され、
前記遊技用装置は、さらに、
前記遊技機を認証するための前記遊技機および前記管理装置の通信のやり取りにおいてデータを転送する認証データ転送手段（たとえば、認証・通信制御回路７５０１）を備える。
【手続補正４５】
【補正対象書類名】明細書
【補正対象項目名】００７４
【補正方法】変更
【補正の内容】
【００７４】
（３２）  上記（１）から（３１）の遊技用装置または遊技用システムにおいて、前記遊技用装置は、たとえば、カードユニット（たとえば、メダル貸出機１００、カードユニット７５０）である。
【手続補正４６】
【補正対象書類名】明細書
【補正対象項目名】００７５
【補正方法】変更
【補正の内容】
【００７５】
（３３）  上記（１）から（３２）の遊技用装置または遊技用システムにおいて、前記遊技用装置または前記カードユニットには、スピーカが設けられている。